(57)【要約】【課題】電源投入時に表示される運転コースを設定し直す手間を省くことができ、使い勝手を向上することができる洗濯機を提供する。【解決手段】洗濯物の状態に応じた複数の運転コースをよく使う運転コースとよく使わない運転コースに区分して内蔵し、それらを選択的に実行可能な制御装置と、運転コースを表示可能な運転コース表示部とを備え、運転コース表示部は、次回の電源投入時に、制御装置が過去に実行した複数の運転コースのうち、「よく使う運転コース」に属する直近の運転コースを表示する構成とする。【選択図】図１
2008079951.tif 000002
【特許請求の範囲】
【請求項１】
洗濯物の状態に応じた複数の運転コースをよく使う運転コースとよく使わない運転コースに区分して内蔵し、それらを選択的に実行可能な運転実行手段と、
前記運転コースを表示可能な表示手段とを備え、
前記表示手段は、
次回の電源投入時に、前記運転実行手段が過去に実行した前記複数の運転コースのうち、よく使う運転コースに属する直近の運転コースを表示することを特徴とする洗濯機。
【請求項２】
運転実行手段は、洗濯物の状態に応じた運転形態に基づき洗濯運転、洗濯乾燥運転および乾燥運転を実行可能にし、よく使う運転コースに属する直近の運転コースの表示は、前記運転形態と共に行なうようにしたことを特徴とする請求項１記載の洗濯機。
【請求項３】
運転実行手段が実行した運転コースのうち、よく使う運転コースを記憶し、よく使わない運転コースは記憶しないようにした運転コース記憶手段を備え、よく使う運転コースに属する直近の運転コースの表示は、前記運転コース記憶手段に記憶された内容を表示するようにしたことを特徴とする請求項１または２記載の洗濯機。
【請求項４】
運転実行手段が実行した運転コースを全て記憶する運転コース記憶手段を備え、
表示手段は、
次回の電源投入時に、前記運転コース記憶手段に記憶されている前記複数の運転コースのうち、よく使う運転コースに属する直近の運転コースを選択して表示することを特徴とする請求項１または２記載の洗濯機。
【発明の詳細な説明】
【技術分野】
【０００１】
本発明は、次回の電源投入時に、過去に実行した運転内容を表示可能とした洗濯機に関する。
【背景技術】
【０００２】
この種の洗濯機として、例えば特許文献１に記載された乾燥機能を有する洗濯機が知られている。これは、前回実行した運転が洗濯運転のみである場合には、次回の電源投入時に、洗濯運転のみを「標準コース」で表示するようにしたものである。また、前回実行した運転が洗濯運転と乾燥運転である場合には、次回の電源投入時に、洗濯運転と乾燥運転を「標準コース」で表示するようになっている。
その他、特許文献２に記載された洗濯機は、洗い行程の設定内容に応じてすすぎ行程および脱水行程の設定内容を補正して表示するようになっている。また、各行程の設定内容を記憶しておいて、次回の電源投入時に、前回の設定内容を表示するようになっている。
【特許文献１】特許第３７７７６９７号公報
【特許文献２】特開２００３−２８４８８９号公報
【発明の開示】
【発明が解決しようとする課題】
【０００３】
特許文献１に記載された洗濯機によれば、単発的に「標準コース」以外の運転コースを実行した場合であっても、次回の電源投入時には「標準コース」が表示される。そのため、日常的に「標準コース」を使うユーザは、次回の電源投入時に運転コースを設定し直す必要がない。また、特許文献２に記載された洗濯機によれば、洗い行程を適宜の条件に設定すれば、その設定内容に応じてすすぎ行程および脱水行程の設定内容が補正されるので、迅速に設定を行うことができる。
【０００４】
ところで、上記のような複数の運転コースを実行可能な洗濯機において、日常的によく使う運転コースはユーザの家庭環境によって異なっており、例えば、軽い汚れ物を洗濯するケースが多い家庭では「標準コース」よりも所要時間が短い「スピーディコース」を実行する頻度が多くなる。
【０００５】
しかし、特許文献１に記載された洗濯機では、日常的に「スピーディコース」を使用するユーザが、前回の運転で「スピーディコース」を実行したとしても、次回の電源投入時には「標準コース」が表示されてしまう。そのため、日常的に「標準コース」以外の運転コースを使用するユーザは、表示された「標準コース」を日常的によく使う運転コースに設定し直さなければならず、使い勝手が悪いものであった。
【０００６】
また、特許文献２に記載された洗濯機では、洗い行程の設定内容に応じて補正されたすすぎ行程および脱水行程の設定内容が、ユーザが所望する設定内容に一致していない場合には、各行程の設定内容を設定し直す必要がある。しかし、各行程の設定内容をユーザが所望する設定内容に設定し直したとしても、次回の電源投入時には、すすぎ行程および脱水行程の設定内容が洗い行程の設定内容に応じて補正されてしまう。そのため、次回の電源投入時に、前回設定し直した設定内容を利用することができず、再度、ユーザが所望する設定内容に設定し直さなければならい。
【０００７】
このように特許文献１および特許文献２に記載された洗濯機では、次回の電源投入時に、ユーザの家庭環境に適していない運転コースが表示される可能性があり、ユーザの要求に十分に応えられないという問題がある。
【０００８】
本発明は、上記問題点を解決するために、電源投入時に表示される運転コースを設定し直す手間を省くことができ、使い勝手を向上することができる洗濯機を提供することを目的とする。
【課題を解決するための手段】
【０００９】
上記目的を達成するために、本発明の洗濯機は、洗濯物の状態に応じた複数の運転コースをよく使う運転コースとよく使わない運転コースに区分して内蔵し、それらを選択的に実行可能な運転実行手段と、前記運転コースを表示可能な表示手段とを備え、前記表示手段は、次回の電源投入時に、前記運転実行手段が過去に実行した前記複数の運転コースのうち、よく使う運転コースに属する直近の運転コースを表示することを特徴とする（請求項１の発明）。
【発明の効果】
【００１０】
上記手段によれば、次回の電源投入時に、運転実行手段が過去に実行した複数の運転コースのうち、よく使う運転コースに属する直近の運転コースが表示されるので、運転コースを設定し直すことなく、そのまま、日常的によく使う運転コース、つまり、家庭環境に適した運転コースを実行することができる。これにより、電源投入時に表示される運転コースを設定し直す手間を省くことができ、使い勝手を向上することができる。
【発明を実施するための最良の形態】
【００１１】
（第１の実施形態）
以下、本発明の洗濯機の第１の実施形態について、図１ないし図３に基づいて説明する。そのうち図２は、図示しない洗濯機の上部に設けられた操作パネル１を概略的に示す正面図である。この操作パネル１は、当該操作パネル１の裏側に配設された配線基板（図示せず）を介して、マイクロコンピュータなどからなる制御装置（図示せず）に接続されている。この制御装置には、例えば不揮発性メモリからなる記憶装置、ドラム用モータ、温水ヒータ、温風ヒータ、温風ファン、温風ファン用モータ、給水弁、排水弁、水位センサ、温度センサなど（何れも図示せず）が電気的に接続されていて、洗濯機の動作全般を制御している。なお、制御装置は運転実行手段としての機能も担うものであり、記憶装置は運転コース記憶手段としての機能を担うもので、詳細は後段の作用説明の項で述べる。
【００１２】
操作パネル１には、電源操作部２、運転形態表示部３、運転コース表示部４、操作部５、行程表示部６および液晶表示部７が設けられている。電源操作部２には、洗濯機に電源を投入するための電源「入」キー８および洗濯機の電源を遮断するための電源「切」キー９が備えられている。
【００１３】
運転形態表示部３には、［洗濯］の文字が表記された洗濯運転ボタン１０、［洗乾］の文字が表記された洗濯乾燥運転ボタン１１および［乾燥］の文字が表記された乾燥運転ボタン１２が備えられている。そして、洗濯運転ボタン１０が押圧操作されると、洗い行程，すすぎ行程，脱水行程からなる洗濯運転が選択されるようになっている。洗濯乾燥運転ボタン１１が押圧操作されると、洗い行程，すすぎ行程，脱水行程，乾燥行程からなる洗濯乾燥運転が選択されるようになっている。乾燥運転ボタン１２が押圧操作されると、乾燥行程のみからなる乾燥運転が選択されるようになっている。また、洗濯運転ボタン１０、洗濯乾燥運転ボタン１１および乾燥運転ボタン１２には、それぞれ点灯部１０ａ，１１ａ，１２ａが設けられており、制御装置は、選択された運転ボタンの点灯部を、前記配線基板に備えられた発光素子（図示せず）により点灯するようになっている。
【００１４】
運転コース表示部４は、上記した制御装置と協働して表示手段としての機能を担うものである。この運転コース表示部４には、[標準]，[スピーディ]，[念入り]，[メモリー]，[柔らか仕上]，[少量]，[ホットミスト]，[ドライ]，[毛布]，[花粉]，[槽洗浄]，[槽乾燥]の文字が表記されている。このうち、[標準]，[スピーディ]，[念入り]，[メモリー]が表記された部分は、「よく使う運転コース」として統計的に選択設定されている「標準コース」，「スピーディコース」，「念入りコース」，「メモリーコース」を示す部分である。また、[柔らか仕上]，[少量]，[ホットミスト]，[ドライ]，[毛布]，[花粉]，[槽洗浄]，[槽乾燥]が表記された部分は、「よく使わない運転コース」として統計的に選択設定されている「柔らか仕上コース」，「少量コース」，「ホットミストコース」，「ドライコース」，「毛布コース」，「花粉コース」，「槽洗浄コース」，「槽乾燥コース」を示す部分である。
【００１５】
操作部５は、ダイヤル１３とスタートボタン１４とから構成されている。ダイヤル１３は、スタートボタン１４の周囲において当該スタートボタン１４を中心に回動可能に設けられており、このダイヤル１３が回動操作されると、その回動量に応じて、運転コース表示部４に表記されている運転コースが順に選択されるようになっている。この場合、運転コースが選択されると、制御装置は、その選択された運転コースが表記されている部分を、前記配線基板に備えられた発光素子（図示せず）により点灯し、表示可能としている。なお、各運転コースは、上記した洗濯運転ボタン１０、洗濯乾燥運転ボタン１１および乾燥運転ボタン１２が押圧操作された回数によっても選択可能に構成されており、例えば、洗濯運転ボタン１０を押圧操作する毎に、洗濯運転として実行可能な運転コースを順に選択できるようになっている。
【００１６】
スタートボタン１４は、操作パネル１の前面側から押圧可能に設けられており、このスタートボタン１４が押圧操作されると、運転形態表示部３で選択されている運転にあって、運転コース表示部４で選択され点灯表示されている運転コースが開始されるようになっている。また、このスタートボタン１４は、一時停止ボタンとしての機能も兼ねており、運転の実行中にスタートボタン１４が押圧操作されると、その実行中の運転が一時停止するようになっている。
【００１７】
制御装置は、上記した複数の運転コースを「よく使う運転コース」と「よく使わない運転コース」に区分して内蔵しており、実行した運転コースが「よく使う運転コース」に属する運転コースである場合には、実行した運転（運転形態表示部３で選択されている運転形態）を「直近の運転形態」として記憶装置に記憶するとともに、実行した運転コース（運転コース表示部４で選択されている運転コース）を「直近の運転コース」として記憶装置に記憶するように構成されている。一方、実行した運転コースが「よく使わない運転コース」に属する運転コースである場合には、実行した運転内容（運転形態表示部３で選択されている運転形態および運転コース表示部４で選択されている運転コース）を記憶装置に記憶しないように構成されている。また、運転が途中で中止された場合には、実行した運転内容を記憶装置に記憶しないように構成されている。
【００１８】
行程表示部６には、洗い行程、すすぎ行程、脱水行程、乾燥行程の内容を、それぞれ手動で設定するための洗い行程設定ボタン１５、すすぎ行程設定ボタン１６、脱水行程設定ボタン１７および乾燥行程設定ボタン１８が設けられており、例えば、各行程の所要時間を分単位で変更したり、各行程の実行回数を変更できるようになっている。
【００１９】
液晶表示部７には、洗剤量、残り時間、予約時刻、現在時刻などの情報が表示されるようになっている。その他、操作パネル１には、予約時刻を設定するための予約操作キー１９、洗濯水として風呂水を利用するための風呂水供給キー２０、洗濯物出入口を開閉するドア（図示せず）が閉鎖状態でロックされていることを表示するドアロック表示部２１が設けられている。
【００２０】
上記した複数の運転コースの内容は、それぞれ洗濯物の量、布質、汚れ具合などに応じたものとなっている。ここで、図３に示すタイムチャートに基づいて、「よく使う運転コース」に属する「標準コース」および「よく使わない運転コース」に属する「ドライコース」の内容を説明する。なお、図３には、洗濯運転における「標準コース」および「ドライコース」を示しており、この場合、乾燥行程は実行しないようになっている。
【００２１】
「標準コース」は、洗濯物の量に応じた最適な運転を自動で実行する運転コースである。この「標準コース」では、９．０［ｋｇ］以下の洗濯物の容量に応じて、洗濯水の水位（水量）が８〜３０［Ｌ］の間で自動的に設定される。そして、洗い行程（１０〜２０分）、すすぎ行程（２回）、脱水行程（４分）が順次行なわれ、「標準コース」全体としての所要時間は４０〜６０［分］程となる。
一方、「ドライコース」は、デリケートな衣類を弱い水流で洗濯する運転コースである。この「ドライコース」では、１．５［ｋｇ］以下の洗濯物に対して、洗濯水の水位が２７［Ｌ］で設定される。そして、洗い行程（６分）、すすぎ行程（３回）、脱水行程（４分）が順次行なわれ、「ドライコース」全体としての所要時間は３０〜４５［分］程となる。
【００２２】
なお、詳しい説明は省略するが、日常的に使用頻度が高い「よく使う運転コース」に属する運転コースとして、「スピーディコース」は軽い汚れ物の洗濯を短時間で仕上げる運転コースであり、「念入りコース」は厚手の衣類などを洗濯する運転コースであり、「メモリーコース」はユーザが設定した設定内容を記憶して実行する運転コースである。
【００２３】
また、「よく使わない運転コース」に属する運転コースとして、「柔らか仕上コース」はタオルなどを洗濯する場合に乾燥行程時のドラムの回転を緩やかにすることにより仕上がりを柔らかくする運転コースであり、「少量コース」は少量の洗濯物（シーツ１枚など）を洗濯する場合にドラムの回転を調整することにより洗濯物が片寄らないようにする運転コースであり、「ホットミストコース」は温水を用いて頑固な汚れ物を洗濯する運転コースである。「花粉コース」はドラムを回転させながら当該ドラム内に送風することにより衣類に付着した花粉などを取り除く運転コースであり、「槽洗浄コース」は塩素系漂白剤などを用いて水槽やドラムを洗浄してカビの発生を抑える運転コースであり、「槽乾燥コース」は水槽やドラムを加熱除菌してカビの発生を抑える運転コースである。
【００２４】
また、上記した各運転コースは、選択された運転形態に応じて異なる内容で実行されるようになっている。例えば、洗濯運転における「スピーディコース」では、洗い行程，すすぎ行程，脱水行程の各行程の所要時間をそれぞれ短く設定しており、これにより、洗濯運転全体の所要時間が短くなるようになっている。一方、洗濯乾燥運転における「スピーディコース」では、本来長時間を要する乾燥行程のみの所要時間を短く設定しており、これにより、洗濯物を洗う動作に関連する行程（洗い行程，すすぎ行程，脱水行程）の所要時間を短縮させることなく、洗濯乾燥運転全体の所要時間が短くなるようになっている。
【００２５】
次に、上記した構成の作用について図１を参照して説明する。
図１は、制御装置による制御内容を示すフローチャートである。なお、洗濯機を設置した後の初回の電源投入時において、記憶装置には、「直近の運転形態」として「洗濯乾燥運転」が記憶され、「直近の運転コース」として「標準コース」が記憶されているものとする。
【００２６】
図２において、電源「入」キー８が押圧操作されて洗濯機に電源が投入されると、制御装置は制御動作を開始して、記憶装置に記憶されている「直近の運転形態」に対応する運転ボタンの点灯部を点灯させる。また、運転コース表示部４のうち記憶装置に記憶されている「直近の運転コース」に対応する部分を点灯させる（ステップＳ１）。なお、初回の電源投入時においては、制御装置は、洗濯乾燥運転ボタン１１の点灯部１１ａを点灯させるとともに、運転コース表示部４のうち［標準］が表示されている部分を点灯させる（図２の状態）。
【００２７】
続いて、制御装置は、ダイヤル１３が回動操作されたか否か、あるいは、運転ボタン１０，１１，１２が押圧操作されたか否かを監視することにより、新たな設定操作が行われたか否かを判断する（ステップＳ２）。そして、ダイヤル１３の回動操作または運転ボタン１０，１１，１２の押圧操作が行われると（「ＹＥＳ」）、制御装置は、新たな設定操作後に運転形態表示部３で選択（点灯）されている運転形態が洗濯運転であるか否かを判断する（ステップＳ３）。そして、運転形態表示部３で選択されている運転形態が洗濯運転である場合には（「ＹＥＳ」）、続いて、新たな設定操作後に運転コース表示部４で選択（点灯）されている運転コースが「よく使う運転コース」に属する運転コースであるか否かを判断する（ステップＳ４）。
【００２８】
そして、運転コース表示部４で選択されている運転コースが「よく使う運転コース」に属する運転コースである場合には（「ＹＥＳ」）、制御装置は、スタートボタン１４が押圧操作されて洗濯運転が開始されたときに（ステップＳ５，Ｓ６）、運転内容（運転形態表示部３で選択されている運転形態および運転コース表示部４で選択されている運転コース）を記憶する（ステップＳ７）。このとき、制御装置は、運転形態表示部３で選択されている運転形態（この場合、洗濯運転）を「直近の運転形態」として記憶装置に記憶し、運転コース表示部４で選択されている運転コース（この場合、「標準コース」）を「直近の運転コース」として記憶装置に記憶する。そして、一連の運転が終了すると（ステップＳ８）、制御装置は、この制御動作を終了する。
【００２９】
上記のステップＳ４において、運転コース表示部４で選択されている運転コースが「よく使う運転コース」に属さない運転コースである場合には（「ＮＯ」）、制御装置は、その後の洗濯運転において運転内容を記憶装置に記憶せず（ステップＳ９〜Ｓ１１）、一連の運転が終了すると（ステップＳ１２）、この制御動作を終了する。
【００３０】
上記のステップＳ３において、新たな設定操作後に運転形態表示部３で選択されている運転形態が洗濯運転でない場合には（「ＮＯ」）、制御装置は、新たな設定操作後に運転形態表示部３で選択されている運転形態が洗濯乾燥運転であるか否かを判断する（ステップＳ１３）。そして、運転形態表示部３で選択されている運転形態が洗濯乾燥運転である場合には（「ＹＥＳ」）、新たな設定操作後に運転コース表示部４で選択されている運転コースが「よく使う運転コース」に属する運転コースであるか否かを判断する（ステップＳ１４）。そして、運転コース表示部４で選択されている運転コースが「よく使う運転コース」に属する運転コースである場合には（「ＹＥＳ」）、制御装置は、その後の洗濯乾燥運転において運転内容を記憶装置に記憶し（ステップＳ１５〜Ｓ１７）、一連の運転が終了すると（ステップＳ１８）、この制御動作を終了する。
【００３１】
一方、上記のステップＳ１４において、運転コース表示部４で選択されている運転コースが「よく使う運転コース」に属さない運転コースである場合には（「ＮＯ」）、制御装置は、その後の洗濯乾燥運転において運転内容を記憶装置に記憶せず（ステップＳ１９〜Ｓ２１）、一連の運転が終了すると（ステップＳ２２）、この制御動作を終了する。
【００３２】
上記のステップＳ１３において、新たな設定操作後に運転形態表示部３で選択されている運転形態が洗濯乾燥運転でない場合、つまり、運転形態表示部３で選択されている運転形態が乾燥運転である場合には（「ＮＯ」）、制御装置は、実行する運転形態として乾燥運転を設定し（ステップＳ２３）、その後の乾燥運転において運転内容を記憶装置に記憶せず（ステップＳ２４〜Ｓ２６）、一連の運転が終了すると（ステップＳ２７）、この制御動作を終了する。
上記のステップＳ２において、新たな設定操作が行われなかった場合には（「ＮＯ」）、制御装置は、その後の運転において運転内容を記憶装置に記憶し（ステップＳ２８〜Ｓ３０）、一連の運転が終了すると（ステップＳ３１）、この制御動作を終了する。
【００３３】
再度、電源「入」キー８が押圧操作されて洗濯機に電源が投入されると、制御装置は、記憶装置に記憶されている「直近の運転形態」に対応する運転ボタンの点灯部を点灯させる。また、運転コース表示部４のうち記憶装置に記憶されている「直近の運転コース」に対応する部分を点灯させる（ステップＳ１）。つまり、次回の電源投入時に、制御装置は、過去に実行した運転コースのうち、「よく使う運転コース」に属する直近の運転コースを運転コース表示部４（操作パネル１）に表示する。
【００３４】
以上に説明したように本実施形態によれば、次回の電源投入時に、制御装置が過去に実行した複数の運転コースのうち、「よく使う運転コース」に属する直近の運転コースが運転コース表示部４に表示されるので、運転コースを設定し直すことなく、そのまま、日常的によく使う運転コース、つまり、家庭環境に適した運転コースを実行することができる。これにより、電源投入時に表示される運転コースを設定し直す手間を省くことができ、使い勝手を向上することができる。
【００３５】
また、「よく使う運転コース」に属する直近の運転コースが「直近の運転形態」と共に表示されるように構成した。これにより、運転コースのみならず運転形態についても、次回の電源投入時に、「直近の運転形態」が運転形態表示部３に表示されるので、電源投入時に表示される運転形態を設定し直す手間を省くことができ、使い勝手を向上することができる。
【００３６】
また、制御装置が実行した運転コースのうち、「よく使う運転コース」に属する運転コースを記憶し、「よく使わない運転コース」に属する運転コースを記憶しないように構成するとともに、記憶された運転コースを「よく使う運転コース」に属する直近の運転コースとして表示するようにした。これにより、次回の電源投入時に、「よく使わない運転コース」に属する運転コースが表示されることはなく、確実に「よく使う運転コース」に属する直近の運転コースを表示することができる。
【００３７】
また、ユーザが所望していない運転コースを誤って実行してしまった場合には、運転コースを設定し直すために運転が途中で中止されることが想定される。本実施形態によれば、運転が途中で中止された場合には、実行した運転内容を記憶装置に記憶しないように構成したので、ユーザが所望していない運転コースが記憶装置に記憶されることはなく、従って、次回の電源投入時に「よく使う運転コース」として表示されることもない。
【００３８】
（第２の実施形態）
次に、本発明の第２の実施形態について説明する。なお、上述した第１の実施形態に記載したものと同一の部分については同一符号を付して説明を省略し、以下、異なる部分についてのみ説明する。この第２の実施形態は、制御装置による制御内容が異なる。
【００３９】
制御装置は、電源投入時に、運転ボタン１０，１１，１２の点灯部１０ａ，１１ａ，１２ａのうち記憶装置に記憶されている「直近の運転形態」に対応する運転ボタンの点灯部を点灯させるとともに、運転コース表示部４のうち記憶装置に記憶されている「直近の運転コース」に対応する部分を点灯させる。そして、その後の運転において、制御装置は、運転コース表示部４で選択されている運転コースが「よく使う運転コース」に属する運転コースであるか否かに拘らず、実行した運転内容（運転形態および運転コース）を全て記憶装置に記憶する。
【００４０】
そして、制御装置は、次回の電源投入時に、記憶装置に記憶されている複数の運転コースを直近に記憶されたものから順に遡って検索することにより、記憶された全ての運転コースの中から「よく使う運転コース」に属する直近の運転コースを選択して運転コース表示部４に表示する。
【００４１】
以上に説明したように本実施形態によれば、制御装置が実行した運転コースが全て記憶装置に記憶され、次回の電源投入時に、記憶装置に記憶されている複数の運転コースのうち、「よく使う運転コース」に属する直近の運転コースが選択されて運転コース表示部４に表示されるので、運転コースを設定し直すことなく、そのまま、日常的によく使う運転コース、つまり、家庭環境に適した運転コースを実行することができる。これにより、電源投入時に表示される運転コースを設定し直す手間を省くことができ、使い勝手を向上することができる。
【００４２】
（その他の実施形態）
なお、本発明は上述した各実施形態に限定されるものではなく、次のように変形または展開することができる。
例えば、「よく使う運転コース」と「よく使わない運転コース」との区分は、上述の各実施形態に記載した区分に限られるものではなく適宜変更することができる。また、「よく使う運転コース」と「よく使わない運転コース」との区分は、洗濯機の製造販売元が行なうようにしても良いし、洗濯機のユーザが適宜変更して設定できるようにしても良い。この場合、「よく使う運転コース」と「よく使わない運転コース」との区分が変更されたとき、変更後の内容に応じて、複数の運転コースが「よく使う運転コース」と「よく使わない運転コース」に区分して内蔵される。
【００４３】
また、内蔵する手段としては、「よく使う運転コース」を記憶するためのメモリと「よく使わない運転コース」を記憶するためのメモリとを設け、「よく使う運転コース」と「よく使わない運転コース」とを物理的に区分されたメモリに記憶するようにしても良い。また、「よく使う運転コース」と「よく使わない運転コース」とをまとめて記憶しておき、運転コース表示部４に表示するときに、「よく使う運転コース」と「よく使わない運転コース」とを区分して表示するようにしても良い。
また、本発明の洗濯機は、洗濯物を収容する回転槽の軸方向が横向きであるドラム式の洗濯機や回転槽の軸方向が縦向きである縦軸型の洗濯機に適用することができるなど、実施に際して本発明の要旨を逸脱しない範囲で種々変更して実施できるものである。
【図面の簡単な説明】
【００４４】
【図１】本発明の第１の実施形態を示す制御装置の制御内容を示すフローチャート
【図２】操作パネルの正面図
【図３】運転コースの内容を説明するためのタイムチャート
【符号の説明】
【００４５】
図面中、１は操作パネル、４は運転コース表示部（表示手段）、および５は操作部を示す。
【図１】
2008079951.tif 000003
【図２】
2008079951.tif 000004
【図３】
2008079951.tif 000005